【手続補正書】
【提出日】平成20年1月8日(2008.1.8)
【手続補正１】
【補正対象書類名】明細書
【補正対象項目名】特許請求の範囲
【補正方法】変更
【補正の内容】
【特許請求の範囲】
【請求項１】  複数のコンテンツデータを蓄積すると共にユーザ毎のポイントデータを蓄積するサーバ装置と、
上記サーバ装置に対して上記コンテンツデータの送信要求と共にユーザを識別するユーザ識別データを送信し、上記送信要求に応じたコンテンツデータを受信する端末装置とを備え、
上記サーバ装置は、上記端末装置から送信要求を受信したとき、上記ポイントデータを加算し、上記ポイントデータが所定値以上となったとき、上記端末装置のユーザに対して還元データを生成するデータ処理システム。
【請求項２】  上記サーバ装置は、上記コンテンツデータに対応したシンボルデータを複数蓄積し、上記端末装置からの上記シンボルデータの購入注文データ及び売却注文データを、上記ユーザ識別データに関連づけて蓄積する請求項１記載のデータ処理システム。
【請求項３】  上記サーバ装置は、上記シンボルデータの購入注文数と売却注文数とを比較し、上記シンボルデータの売買を成立させる上記ユーザ識別データを抽出し、上記シンボルデータの売買が成立するとき、上記シンボルデータ毎に、上記ユーザ識別データの購入注文データ及び売却注文データを更新する請求項２記載のデータ処理システム。
【請求項４】  上記サーバ装置は、上記シンボルデータの売買が成立したとき、上記ポイントデータにポイントを加算する請求項３記載のデータ処理システム。
【請求項５】  上記サーバ装置は、上記シンボルデータの売買を成立させるとき、上記シンボルデータ毎に、上記購入注文が出ている上記ユーザ識別データの上記購入注文数を減算し、上記売却注文が出ている上記ユーザ識別データの売却注文数を減算する請求項３記載のデータ処理システム。
【請求項６】  上記サーバ装置は、一定期間毎に、上記購入注文数と上記売却注文数とを比較し、上記購入注文数又は上記売却注文数の何れか一方より他方の注文を減算したときに残存する注文データを次回の上記購入注文数又は上記売却注文数に加算する請求項５記載のデータ処理システム。
【請求項７】  上記シンボルデータは、アーティストに関連する画像データであり、上記サーバ装置は、一のアーティストに対して複数種類のシンボルデータを蓄積している請求項２記載のデータ処理システム。
【請求項８】  上記サーバ装置は、上記ユーザ識別データと複数の互いに関連性を有するシンボルデータからなるセットデータを上記端末装置から受信したとき、この受信したセットデータが予め蓄積されているセットデータと一致しているかを判別し、一致しているとき、上記ユーザ識別データに関連して記憶されているポイントデータにポイントを加算する請求項３記載のデータ処理システム。
【請求項９】  上記サーバ装置は、上記コンテンツデータの紹介データを上記ユーザ識別データと共に受信したとき、上記ポイントデータにポイントを加算すると共に、上記紹介データの送信先の端末装置に上記紹介データを送信する請求項８記載のデータ処理システム。
【請求項１０】  上記サーバ装置は、送信先の端末装置より上記紹介データの送信者の上記ユーザ識別データと上記コンテンツデータを識別するコンテンツ識別データを受信したとき、上記紹介データの送信者のポイントデータにポイントを加算すると共に、上記紹介データの送信先の端末装置に上記コンテンツデータを送信する請求項９記載のデータ処理システム。
【請求項１１】  上記サーバ装置は、少なくとも上記シンボルデータの売買、コンテンツデータの上記端末装置への送信が行われたときに加算されるアーティスト毎のポイントデータに基づいて評価指数を算出し、上記アーティスト毎の評価指数に基づいて、各アーティストの偏差を算出し、上記偏差に基づいて、各アーティスト毎のシンボルデータの価値を変動させる請求項９記載のデータ処理システム。
【請求項１２】  端末装置よりサーバ装置に対して上記コンテンツデータの送信要求と共にユーザを識別するユーザ識別データを送信するステップと、
上記端末装置から送信要求を受信したとき、上記サーバ装置が上記ポイントデータを加算するステップと、
上記送信要求に応じたコンテンツデータを上記端末装置に送信するステップと、
上記ポイントデータが所定値以上となったとき、上記端末装置のユーザに対する還元データを生成するステップとを有するデータ処理方法。
【請求項１３】  複数のコンテンツデータを記憶する記憶部と、
端末装置から送信されるユーザを識別するユーザ識別データ及び上記コンテンツデータを識別するコンテンツ識別データを受信する受信部と、
上記受信部で受信されたコンテンツ識別データに応じて上記記憶部からコンテンツデータを検索し上記端末装置に送信する送信部と、
上記ユーザ識別データに関連づけてユーザのポイントデータとを蓄積する蓄積部と、
上記受信部が上記コンテンツ識別データを受信したとき、上記ポイントデータにポイント加算する更新部と、
上記ポイントデータが所定値以上であるかを判別する判別部とを備え、
上記更新部は、上記ポイントデータが所定値以上であるとき、上記端末装置にユーザに対する還元データを生成するデータ処理装置。
【請求項１４】  端末装置から送信されるユーザを識別するユーザ識別データ及び上記コンテンツデータを識別するコンテンツ識別データを受信部で受信するステップと、
上記受信部が上記コンテンツ識別データを受信したとき、更新部で蓄積部に蓄積されているポイントデータにポイント加算するステップと、
上記ポイントデータが所定値以上であるかを判別部で判別するステップと、
上記受信部で受信されたコンテンツ識別データに応じて上記記憶部からコンテンツデータを検索し送信部より上記端末装置に送信するステップと、
上記ポイントデータが所定値以上であるとき、上記端末装置のユーザに対する還元データを生成するステップとを有するデータ処理方法。
【請求項１５】  コンピュータにより読み取り可能なコンピュータプログラムが記録された記録媒体であって、
上記コンピュータプログラムは、
受信部で受信した端末装置から送信されるユーザを識別するユーザ識別データ及び上記コンテンツデータを識別するコンテンツ識別データを受信したとき、蓄積部に蓄積されているポイントデータにポイント加算するステップと、
上記ポイントデータが所定値以上であるかを判別部で判別するステップと、
上記受信部で受信されたコンテンツ識別データに応じて上記記憶部からコンテンツデータを抽出し送信するステップと、
上記ポイントデータが所定値以上であるとき、上記端末装置のユーザに対しての還元データを生成するステップとを実行する記録媒体。
【請求項１６】  受信部で受信した端末装置から送信されるユーザを識別するユーザ識別データ及び上記コンテンツデータを識別するコンテンツ識別データを受信したとき、蓄積部に蓄積されているポイントデータにポイント加算するステップと、
上記ポイントデータが所定値以上であるかを判別部で判別するステップと、
上記受信部で受信されたコンテンツ識別データに応じて上記記憶部からコンテンツデータを抽出し送信するステップと、
上記ポイントデータが所定値以上であるとき、上記端末装置のユーザに対しての還元データを生成するステップとを実行するコンピュータプログラム。
【請求項１７】  複数のコンテンツデータを蓄積すると共にユーザ毎のポイントデータを蓄積するサーバ装置と、
上記サーバ装置に対して上記コンテンツデータの送信要求と共にユーザを識別するユーザ識別データを送信し、上記送信要求に応じたコンテンツデータを受信する端末装置とを備え、
上記サーバ装置は、ユーザを識別するユーザ識別データと、ユーザのポイントデータとが記録されることによりユーザを管理するユーザデータベースを有し、上記端末装置による上記コンテンツデータの送信要求に応じて、上記ユーザ識別データに対応したユーザデータベースの上記ポイントデータにポイントを加算し、
上記端末装置による他の端末装置への上記コンテンツデータの紹介データの送信に応じて上記ユーザデータベースの上記ポイントデータにポイントを加算し、上記紹介データを受信した他の端末装置の上記コンテンツデータの送信要求に応じて上記ユーザデータベースの上記ポイントデータにポイントを加算し、上記ユーザデータベースのポイントデータが所定値以上であることを判別したとき、端末装置のユーザに対する還元データを生成するデータ処理システム。
【請求項１８】  複数のコンテンツデータを記憶する記憶部と、
端末装置から送信されるユーザを識別するユーザ識別データ及び上記コンテンツデータを識別するコンテンツ識別データを受信する受信部と、
上記受信部で受信されたコンテンツ識別データに応じて上記記憶部からコンテンツデータを検索し上記端末装置に送信する送信部と、
上記ユーザ識別データに関連づけてユーザのポイントデータとを蓄積する蓄積部と、
上記受信部が上記コンテンツ識別データを受信したとき、上記ポイントデータにポイント加算する更新部と、
上記ポイントデータが所定値以上であるかを判別する判別部とを備え、
上記蓄積部は、ユーザを識別するユーザ識別データと、ユーザのポイントデータとが記録されることによりユーザを管理するユーザデータベースを有し、
上記更新部は、上記端末装置による上記コンテンツデータの送信要求に応じて、上記ユーザ識別データに対応したユーザデータベースの上記ポイントデータにポイントを加算し、上記端末装置による他の端末装置への上記コンテンツデータの紹介データの送信に応じて上記ユーザデータベースの上記ポイントデータにポイントを加算し、上記紹介データを受信した他の端末装置の上記コンテンツデータの送信要求に応じて上記ユーザデータベースの上記ポイントデータにポイントを加算し、
上記判別部は、上記ユーザデータベースのポイントデータが所定値以上であることを判別したとき、端末装置のユーザに対する還元データを生成するデータ処理装置。
【請求項１９】  端末装置による上記コンテンツデータの送信要求に応じて、ユーザ識別データに対応したユーザデータベースのポイントデータにポイントを加算するステップと、
上記端末装置による他の端末装置への上記コンテンツデータの紹介データの送信に応じてユーザを管理するユーザデータベースのポイントデータにポイントを加算するステップと、
上記紹介データを受信した他の端末装置の上記コンテンツデータの送信要求に応じて上記ユーザデータベースの上記ポイントデータにポイントを加算するステップと、
上記ユーザデータベースのポイントデータが所定値以上であることを判別したとき、端末装置のユーザに対する還元データを生成するステップとを有するデータ処理方法。